(57)【特許請求の範囲】
【請求項１】
ポンプを駆動する電動機と、この電動機に電力を供給する電源部と、電源部と電動機とを制御する制御部と、ポンプ、電動機、電源部、制御部を内蔵する本体とを備え、ポンプにより吸い込み口を介して浴槽の浴水を吸い上げて浴水を吐出する際にエアを吸い込んでエア混じりの気泡浴水として吐出するように構成した気泡浴水発生装置において、最下部にポンプを配設した本体が、本体の外部のケーシングを構成する外殻と、外殻内に内装される密閉ケースとで構成され、密閉ケースに上から順に制御部、電源部、電動機を縦に並べて内装して本体を縦長に構成し、外殻は本体の主体部を構成する本体主体部と、内部にポンプを配設した下部ケーシングとを有し、下部ケーシングを下面部中央に吸い込み口を有する平面視円盤状に形成して本体主体部に対して回動自在に取付け、この平面視円盤状の下部ケーシングの側面部に本体側吐出口部を設けて成ることを特徴とする気泡浴水発生装置。
【請求項２】
先端部に吐出口部を有するホースを本体側吐出口部に接続して成ることを特徴とする請求項１記載の気泡浴水発生装置。
【請求項３】
本体に浴槽内面部に吸着自在な吸盤を設けて成ることを特徴とする請求項１記載の気泡浴水発生装置。
【発明の詳細な説明】
【０００１】
【発明の属する技術分野】
本発明は、気泡浴水発生装置に関するものである。
【０００２】
【従来の技術】
従来から浴槽の浴水を吸い込み口から吸い上げて吐出口部から浴水を吐出する際にエアを吸い込んでエア混じりの気泡浴水として吐出するようにした気泡水発生装置が知られているが、従来の気泡発生装置は主として浴槽に固定的に装着されたものであり、既存の浴槽で簡単に使用することができないという問題があった。
【０００３】
そこで、ポータブルタイプのものが提案されているがこの従来例にあっては気泡混じりの浴水を吐出する場合、本体に設けた本体側吐出口部の本体に対する向きが一定であり、このため、好みの方向に気泡混じりの浴水を吐出することができないという問題があった。このため、本体側吐出口部にホースを接続したものにおいてもホースを変形するのみで吐出方向を変えていたが、ホースをあまり変形させるとホースをねじってしまったりするという問題がある。
【０００４】
【発明が解決しようとする課題】
本発明は上記の点に鑑みてなされたものであり、簡単な構成で気泡浴水発生装置において吐出方向を変えることができる気泡浴水発生装置を提供することを課題とするものである。
【０００５】
【課題を解決するための手段】
上記課題を解決するために本発明に係る気泡浴水発生装置は、ポンプ１を駆動する電動機２と、この電動機２に電力を供給する電源部３と、電源部３と電動機２とを制御する制御部４と、ポンプ１、電動機２、電源部３、制御部４を内蔵する本体５とを備え、ポンプ１により吸い込み口６を介して浴槽の浴水を吸い上げて浴水を吐出する際にエアを吸い込んでエア混じりの気泡浴水として吐出するように構成した気泡浴水発生装置において、最下部にポンプ１を配設した本体５が、本体５の外部のケーシングを構成する外殻９と、外殻９内に内装される密閉ケース１４とで構成され、密閉ケース１４に上から順に制御部４、電源部３、電動機２を縦に並べて内装して本体５を縦長に構成し、外殻９は本体５の主体部を構成する本体主体部２８と、内部にポンプ１を配置した下部ケーシング３０とを有し、下部ケーシング３０を下面部中央に吸い込み口６を有する平面視円盤状に形成して本体主体部２８に対して回動自在に取付け、この平面視円盤状の下部ケーシング３０の側面部に本体側吐出口部４４を設けて成ることを特徴とするものである。このような構成とすることで、本体５を縦長に構成することでコンパクト化が図れ、また、この縦長の本体５の最下部にポンプ１を配置してあることで、浴槽内の浴水の水位が低くても浴水を吸い込んでエア混じりの気泡浴水として吐出することができ、また、下部ケーシング３０を本体主体部２８に対して回動することで本体側吐出口部４４の本体５に対する向きを変えることができて、吐水方向を簡単に変更することができるものである。
【０００６】
また、先端部に吐出口部７を有するホース２７を本体側吐出口部４４に接続することが好ましい。このような構成とすることで、ホース２７の先端の吐出口部７からエア混じりの気泡浴水として吐出することができて、任意の位置に自由に吐出口部７を位置させて気泡浴水を吐出することができ、特に、ホース２７による向きの変更だけでなく、下部ケーシング３０を本体主体に対して回動することによる方向変更との両者の協同により容易に且つ広方向における吐出方向の変更ができることになる。
【０００７】
また、本体５に浴槽内面部に吸着自在な吸盤１０を設けることが好ましい。このような構成とすることで、本体５を吸盤１０を用いて簡単に吸着して取付けることができるものであり、吸盤１０で取付けた状態で下部ケーシング３０を本体主体部２８に対して回動することで容易に気泡浴水の吐出方向を変更できるものである。
【０００８】
【発明の実施の形態】
以下、本発明を添付図面に示す実施形態に基づいて説明する。
【０００９】
気泡水発生装置８は図１、図４に示すように、本体５にポンプ１と、ポンプ１を駆動する電動機２と、電動機２に電力を供給するための電源部３と、電源部３と電動機２とを制御する制御部４とを装備し、本体５から導出したホース２７の先端部に吐出口部７を設け、本体５の下面部に設けた吸い込み口６から吸い込んだ浴槽内の浴水を吐出口部７から吐出し、この吐出口部７から浴水を吐出する際にエアを吸い込んでエア混じりの気泡浴水として吐出口部７から吐出するように構成したものである。
【００１０】
本体５は、図４乃至図９に示すように、本体５の外部のケーシングを構成する外殻９と、外殻９内に内装される密閉ケース１４とで構成してある。外殻９は本体５の主体部を構成する本体主体部２８と、本体主体部２８の上部に着脱自在に取付けられる上キャップ２９と、本体主体部２８の下部に回動自在に取付けた下部ケーシング３０とで構成してある。
【００１１】
本体５の最下部には図１、図４に示すようにポンプ１を設け、本体５の最上端部に制御部４を設け、ポンプ１と制御部４との間に電動機２と、蓄電池で構成された電源部３とを上下に並べて配置し、制御部４と蓄電池とポンプ１駆動用の電動機２とを一つの縦長の密閉ケース１４内に上下に並べて収めてあり、このように、本体５内に上から下にかけて制御部４、電源部３、電動機２、ポンプ１を順に配置することで、本体５を縦長の構造としてある。このように本体５を縦長に配置することで、気泡水発生装置８を浴槽の側面部に取付けた際に気泡水発生装置８の横長が長くならず、気泡水発生装置８ができるだけ入浴の邪魔にならないようでき、また、縦長の本体５の下端部にポンプ１を設けることで、浴槽の水位が低い場合も対応できるものである。
【００１２】
また、密閉ケース１４内には電動機２と蓄電池との間を遮蔽する遮蔽板１５が設けてあり、蓄電池より発生する水素が電動機２側に侵入するのを遮断して電動機２の火花で発火しないようになっている。図１１に示すように、密閉ケース１４の上端部には蓄電池より発生する水素を逃がすための水素の逃がし口１６が設けてあって蓄電池より発生する水素を水素の逃がし口１６から逃がすことができるようにしてある。この水素逃がし口１６は気体は通すが水を通さないシート１６ａにより覆ってあり、このシート１６ａで覆った水素の逃がし口１６が図１１（ｃ）のように傾斜していてシート１６ａ上に水が付着してもシート１６ａが傾斜していることで水を外に落とすことができるようになっている。
【００１３】
本体５の外面には本気泡水発生装置８を後述の吸盤１０により浴槽の内壁に吸着して取付ける際に、浴槽の予定最大水位を表示するための水位線８０（図１１（ｂ）に示す）が設けてあって、浴槽の水位をこの水位線よりも下となるように浴槽に湯水をはって使用するようになっている。そして、この水位線は本体５の上記水素逃がし口よりも下位置に施してある。
【００１４】
図１、図４に示すように、本体５の外殻９の主体を構成する本体主体部２８の側面部には電源部３である蓄電池を収納した部分に対向して開口部３１が設けてあって、この開口部３１には着脱自在な電池蓋２０を密閉して取付けることができるようになっている。本体主体部２８の側面部には図２２に示すような水平断面略コ字状をした取付板１３が着脱自在に取付けてある。この取付板１３は下端部に係止部３２を設け、上部にねじ挿入孔３３を設けたものであって、係止部３２を本体主体部２８に設けた被係止部３４に係止し、ねじ挿入孔３３から挿入したねじ３５を着脱自在に本体主体部２８に螺合して取付けることができるようになっている。ここで、電池蓋２０を確実に開口部３１に密閉的に取付けた状態では電池蓋２０の前面部の突部２０ａが取付板１３の内面部の凹部１３ａに嵌め込まれ、電池蓋２０に邪魔されることなく取付板１３を上記のようにして本体主体部２８に取付けることができるが、電池蓋２０を確実に開口部３１に密閉的に取付けていない状態では電池蓋２０の前面部の突部２０ａが設計位置よりも外方に突出して位置し、このため、突部２０ａにより取付板１３の内面部を外側に押して取付板１３を本体主体部２８に取付けることができないようになっている。したがって、電池蓋２０を完全に密閉した状態でのみ取付板１３を取付けることができる構造とでき、電池蓋２０の密閉忘れが生じないようになっている。
【００１５】
上記のようにして取付板１３が本体５の側面部に近接対向させて取付けられるのであるが、この取付板１３の外面部（本体５と反対側の面）には本体５を浴槽内壁に固定することができるゴムや合成樹脂製の変形可能な材料により形成した吸盤１０の背面の中央部が取付けてある。この吸盤１０は遠隔操作体１１を操作することで浴槽の内壁から引き剥がすことができるようになっている。遠隔操作体１１は本体５側面部と取付板１３との間に上下移動自在に配置してある。
【００１６】
図２２に示すように、遠隔操作体１１は板状をしており、この板状をした遠隔操作体１１の上部が取付板１３の上面開口部から上方に突出しており、遠隔操作体１１の上端部に指で摘んだ際の滑り止めを行うように断面Ｔ字状をした操作部１２が設けてある。遠隔操作体１１には図２２に示すように上下に長い長孔７７が設けてあり、取付板１３の背面部に突設したガイド突部７８が遠隔操作体１１の長孔７７にスライド自在にはめ込んである。遠隔操作体１１の下端部には下に行くほど吸盤１０方向を向くように傾斜した傾斜部１８が設けてあり、吸盤１０の背面部の下端部に本体５側に向けて突出する突出部１０ａを設けてあり、この突出部１０ａが図１、図４に示すように取付板１３に設けた孔１３ｂに挿入され、突出部１０ａの先端部が遠隔操作体１１の傾斜部１８の下端部に軸により回動自在に枢支してある。また、取付板１３の背面部にガイド片１９が突設してあり、このガイド片１９が傾斜部１８の吸盤１０側表面に当接摺動するように構成してあり、本体５の上端部付近に位置する遠隔操作体１１の操作部１２を指で摘んで上方に引き上げる操作をすることで、傾斜部１８のガイド片１９に当たる位置が変化し、これにより吸盤１０の下端部側が本体５側に引っ張られることで吸盤１０を引き剥がすことができるようになっている。
【００１７】
本体５の上端部には上下に回動自在なハンドル１７を回動自在に取付けてあり、本体５を持ち運んだり、あるいは吸盤１０を浴槽の内壁に吸着して固着する際に図６（ａ）に示すようにハンドル１７を上方に回動して手で持つことが出来るようになっている。また、吸盤１０を浴槽の内壁に吸着した場合にはハンドル１７を図６（ｂ）に示すように水平に倒すように回動することで、ハンドル１７の先端部を遠隔操作体１１の上端部の操作部１２と本体５との間に位置させ、これにより操作部１２と本体５との間に指を入れて操作部１２を摘むことができにくいようにしてあり、使用中に不用意に操作部１２を指で摘んで動かすことで吸盤１０が剥がれないようにしてある。したがって、吸盤１０を外す場合にはハンドル１７を上方に回動し、操作部１２と本体５との間に指を入れて操作部１２を摘んで上方に引き上げることで吸盤１０を引き剥がすことができるものである。
【００１８】
本体主体部２８の上部に着脱自在に取付けられる上キャップ２９には電源部３のオン、オフ等を制御するための操作釦３６が設けてあり、この操作釦３６はリードスイッチのようなもので構成してあり、操作釦３６を操作することで、電源部３のオン、オフ等を制御することができるようになっている。
【００１９】
また、上キャップ２９にはエアを供給したりエアの供給を停止したりするためのエア供給操作部４０が回動自在に取付けてある。すなわち、図１、図４、図１０に示すように、上キャップ２９の上面部には凹部４１が形成してあり、この凹部４１にエア供給操作部４０が回動自在にはめ込んであり、凹部４１の底を上下に貫通した筒体４２の上部に孔や切り欠きにより形成した通気部４２ａを形成し、エア供給操作部４０に設けた嵌め込み筒部４３を筒体４２の上部に回動自在に嵌め込み、嵌め込み筒部４３に設けた孔や切り欠きにより形成した通気部４３ａと上記通気部４２ａとが連通した場合に凹部４１の外端部に設けた通気孔４１ａから通気部４３ａ、通気部４２ａを経て筒体４２にエアが供給されるようになっており、通気部４３ａと上記通気部４２ａとが連通しない場合には筒体４２にエアが供給されないようになっている。なお、通気孔４１ａへは上キャップ２９内のエアが供給されるが、本体主体部２８の上部への上キャップ２９の取付け部分等に隙間があって外部からこの上キャップ２９内にエアが流入するように構成してある。
【００２０】
本体主体部２８の下部に回動自在に取付けた下部ケーシング３０は平面視略円盤状をしており、下部ケーシング３０の下面部中央に吸い込み口６が設けてある。また、下部ケーシング３０内にポンプ１が配置してあり、下部ケーシング３０の側部に本体吐出口部４４が設けてあり、吸い込み口６からポンプ１を配置した部分を経て本体吐出口部４４に至る一連の通路が本体側通路４５となっている。本体吐出口部４４に先端部に吐出口部７を設けたホース２７の後端部の本体側接続部４８が着脱自在に接続してある。
【００２１】
下部ケーシング３０にはエア通路４９が設けてあり、エア通路４９の上流側の端部の筒部４９ａと前記筒体４２の下端部とが変形自在なフレキシブルホースよりなる接続ホース５０により連通接続してあり、接続ホース５０は外殻９と密閉ケース１４との間の隙間に配置してある。
【００２２】
本体吐出口部４４は図１、図４に示すように、下部ケーシング３０の主体を構成する部分から一体に突出した外管部５１内に内管部５２を嵌め込み固着して構成してあり、内管部５２内が本体側通路４５の先端部を構成してある。内管部５２と外管部５１との間がエア通路４９となっており、このエア通路４９の下流側端部に逆止弁５４が設けてあり、また、エア通路４９の逆止弁５４よりもやや上流側において本体側通路４５に連通するために内管部５２に孔が形成してあって該孔がエア吸い込み通路５５となっている。本体側通路４５のエア吸い込み通路５５よりもやや上流側は細く絞ってある。また、内管部５２の先端部が本体側吐出口４４ａとなっている。
【００２３】
図１、図２、図１３に示すように、吐出口部７は手で掴むための把手部５６に内蔵してある。吐出口部７は浴水通路部５７とエア通路部５８とからなり、浴水通路部５７の先端部が把手部５６の先端部から突出した吐出口７ａとなっている。吐出口部７を内蔵した把手部５６の他端部にはホース２７の先端部が接続してあり、この場合、ホース２７は把手部５６に対してホース２７の軸心を中心に回動自在に接続してあってもよい。
【００２４】
ホース２７は屈曲変形自在なフレキシブルホースにより構成してあり、このホース２７は内管５９と外管６０との２重構造となっており、内管５９が浴水通路６１となり、外管６０と内管５９との間がエア通路６２となっている。外管６０と内管５９との間には図１４に示すように、ホース２７の軸方向に略平行な複数の仕切り壁６７を設け（仕切り壁６７は外管６０、内管５９に一体化してある）てあって、エア通路６２が潰れないで確実にエアを供給できるようになっている。浴水通路６１は吐出口部７の浴水通路部５７の端部に連通接続してあり、また、エア通路６２は吐出口部７のエア通路部５８に連通接続してある。エア通路部５８の先端部は浴水通路部５７の先端部の吐出口７ａに連通している。したがって、浴水通路部５７の吐出口７ａから浴水が勢い良く吐出する際に、差圧によりエア通路部５８から供給されるエアが吐出口７ａに吸い込まれてエア混じりの浴水として吐出口７ａから吐出されるようになっている。
【００２５】
ホース２７の後端部には本体側接続部４８が設けてある。本体側接続部４８はホース２７の内管５９に連通接続された浴水接続筒部６４と、エア通路６２に連通接続されたエア接続筒部６５とを有し、更に、外周部に筒状をした接続キャップ６６を回転自在に取付けて構成してある。
【００２６】
ホース２７の本体側接続部４８は本体５に設けた本体吐出口部４４に着脱自在に接続するのであるが、この接続状態においては、図１、図１５に示すように、浴水接続筒部６４が内管部５２の先端部の本体側吐出口４４ａ内に嵌め込まれて内管部５２と浴水接続筒部６４とが連通接続すると共に浴水接続筒部６４によりエア吸い込み通路５５が閉じられるものであり、また、エア接続筒部６５が外管部５１に嵌め込まれてエア通路４９と外管部５１内とが連通するものであり、また、接続キャップ６６を外管部５１に被嵌して係止手段により着脱自在に係止してホース２７の本体５への接続状態を保持するようになっている。
【００２７】
上記のような構成の気泡水発生装置８は吸盤１０を浴槽の内壁に吸着により固着して使用するものである。
【００２８】
そして、操作釦３６を操作することで電動機３を駆動してポンプ１を駆動し、本体５の下面部に設けた吸い込み口６から浴水を吸い込み、内管部５２、浴水接続筒部６４、浴水通路６１を経て浴水通路部５７に流れ、把手部５６の先端部から突出した吐出口７ａから浴水を吐出するのであるが、この場合、エア供給操作部４０を操作して通気部４２ａと通気部４３ａとを連通させると、吐出口７ａ部分においてエゼクター効果が生じ、エアが接続ホース５０、エア通路４９、エア通路６２、エア通路部５８を経て吐出口７ａ部分を流れる浴水に吸い込まれて浴水に混入され、エア混じりの浴水が吐出口７ａから吐水されるものである。このホース２７を接続した状態で運転している場合には逆止弁５４は吐出口７ａ側で生じるエゼクター効果による差圧のために開となるものである。図１５、図１６はホース２７を接続した場合における浴水及びエアの流れを示しており、実線の矢印が浴水の流れを示し、破線の矢印がエアの流れを示している。
【００２９】
ここで、把手部５６を手で握って目的とする位置で目的とする方向に向けることで、エア混じりの浴水を目的とする位置で目的とする方向に吐出することができて快適な入浴ができるものである。この場合、フレキシブルなホース２７により吐出口７ａの向きを変えるだけでなく、本体吐出口部４４を有する下部ケーシング３０を本体主体部２８に対して回動することによりフレキシブルなホース２７を本体５に接続した部分の位置を変えることができて、ホース２７をねじる等の無理な変形を行うことなく、容易に吐出口７ａの位置や方向を変えることができるものである。図１２（ａ）（ｂ）は下部ケーシング３０を回動して本体吐出口部４４の方向を変えた例を示している。ここで下部ケーシング３０の本体主体部２８に対する回動角度は浴槽の内壁に本体５を吸盤１０で吸着するものの場合、１８０°以下とするのが好ましいが、１８０°以上の回動角度であってもよいものである。
【００３０】
一方、ホース２７を本体吐出口部４４から取り外した状態では、図１７に示すようにエア吸い込み通路５５が開となる。そして、操作釦３６を操作することで電動機３を駆動してポンプ１を駆動し、本体５の下面部に設けた吸い込み口６から浴水を吸い込み、内管部５２の先端部の本体側吐出口４４ａから浴水を吐出するのであるが、この場合、エア供給操作部４０を操作して通気部４２ａと通気部４３ａとを連通させると、本体側吐出口４４ａ部分においてエゼクター効果が生じ、接続ホース５０、エア通路部５８を流れて供給されるエアがエア吸い込み通路５５から吸い込まれ、本体側吐出口４４ａ部分を流れる浴水に吸い込まれて浴水に混入され、エア混じりの浴水が本体側吐出口４４ａから吐水されるものである。このホース２７を接続していない状態で運転している場合には逆止弁５４は本体側吐出口４４ａ側で生じるエゼクター効果による差圧のために閉となるものである。図１７はホース２７が非接続の場合における浴水及びエアの流れを示しており、実線の矢印が浴水の流れを示し、破線の矢印がエアの流れを示している。
【００３１】
この本体５にホース２７を接続していない状態でも、本体吐出口部４４を有する下部ケーシング３０を本体主体部２８に対して回動することにより本体側吐出口４４ａの向きを変えることができるものである。
【００３２】
そして、ホース２７を接続する場合、接続しない場合のいずれの使用形態の場合も、エア供給操作部４０を操作して通気部４２ａと通気部４３ａとを非連通とすると、エアが供給されず、浴水のみを吐出することができるものである。
【００３３】
ところで、ホース２７の先端部に設けた吐出口部７とホース２７の後端部２７に設けた本体側接続部４８とは着脱自在に接続できるようになっている。具体的には内管部５２の先端部の吐出口７ａを浴水接続筒部６４に着脱自在に被嵌できるようになっており、さらにこの場合接続キャップ６６により内管部５２の先端部の吐出口７ａを被嵌するようになっている。このようにホース２７の先端部に設けた吐出口部７とホース２７の後端部に設けた本体側接続部４８とを着脱自在に接続することでホース２７を図１８（ａ）の状態から図１８（ｂ）のようにループ状にコンパクトにまとめることができて、収納等が便利となるものである。
【００３４】
なお、吐出口７ａ、本体側吐出口４４ａを軟質材により形成しておくと、ホース２７の本体側接続部４８の浴水接続筒部６４と容易に接続することができるものである。また、吐出口７ａや本体側吐出口４４ａは把手部５６や外管部５３から突出していて人体が当たる場合があるが、この場合も軟質材で形成してあることで、人体が痛くないものである。
【００３５】
浴槽の掃除などのために気泡水発生装置８を浴槽から取り外す場合には、ハンドル１７を上方に向けて回動し、遠隔操作体１１の操作部１２と本体５との間に指を入れて操作部１２を摘んで上方に引き上げることで、遠隔操作体１１の傾斜部１８のガイド片１９に当たる位置が変化して吸盤１０の下端部側が本体５側に引っ張られることで吸盤１０を引き剥がすものである。
【００３６】
ところで、気泡発生装置８は取り外した状態で充電スタンド２１により電源部３を構成する蓄電池に充電できるように構成してある。
【００３７】
すなわち、充電スタンド２１は図２０に示すように上面部に水受け皿２２を形成した受け部６８の一側部に上方に向けて立ち上がり部６９を突出して構成してあり、立ち上がり部６９の上部に受け段部７０を設けて、この受け段部７０上面に充電器側端子２４が設けてある。充電スタンド２１の内部には充電回路部２５が内蔵してあり、また、充電スタンド２１内には充電スタンド２１に内蔵された充電回路部２５に本体充電端子部２３に付着した水滴が付着しないように充電器側端子２４と充電回路部２５とを仕切る仕切板２６が設けてある。一方、気泡発生装置８の本体５には外殻主体２７の下部の段部７１部分に本体充電端子部２３が設けてある。本体充電端子部２３は外殻主体２７に対して水密的に取付けてある。
【００３８】
しかして、充電する場合には図１９に示すように充電スタンド２１の水受け皿２２に本体５の下端面部の吸い込み口６部分を載置しかつ段部７１を段部７０に載置すると共に、図２１に示すように、本体充電端子部２３を充電器側端子２４に電気的に接続した状態で充電を行うものである。
【００３９】
この場合、本体５の吸い込み口６部分に付着していた水滴は水受け皿２２に受けられて周囲に流れ出したり、あるいは充電スタンド２１の内部に浸入しないようになっており、また、充電器側端子２４に水滴が付着してこれが仮に充電スタンド２１側に浸入することがあっても、仕切板２６の存在により充電回路部２５側に水が浸入しないようにしてある。
【００４０】
【発明の効果】
上記のように本発明の請求項１記載の発明にあっては、本体の最下部にポンプを配設し、上から順に制御部、電源部、電動機を縦に並べて内装した密閉ケースを本体内のポンプ上方に配置して本体を縦長に構成してあるので、本体が縦長でコンパクトとなり、また、この縦長の本体の最下部にポンプを配置してあることで、浴槽内の浴水の水位が低くても浴水を吸い込んでエア混じりの気泡浴水として吐出することができるものであり、しかも、側面部に本体側吐出口部を設けるとともに下面部中央に吸い込み口を有する平面視円盤状の下部ケーシングを本体の最下端部において本体主体部に対して回動自在に取付けてあるので下部ケーシングを本体主体部に対して回動することで本体側吐出口部の本体に対する向きを変えることができて、吐水方向を簡単に変更することができて、使い勝手が向上するものである。
【００４１】
また、請求項２記載の発明にあっては、上記請求項１記載の発明の効果に加えて、先端部に吐出口部を有するホースを本体側吐出口部に接続してあるので、ホースの先端の吐出口部からエア混じりの気泡浴水として吐出することができて、ホースを動かして任意の位置に自由に吐出口部を位置させて気泡浴水を吐出することができ、特に、ホースによる向きの変更だけでなく、下部ケーシングを本体主体に対して回動することによる方向変更との両者の協同により容易に且つ広方向における吐出方向の変更ができ、この結果、よりいっそう使い勝手が良くなるものである。
【００４２】
また、請求項３記載の発明にあっては、上記請求項１記載の発明の効果に加えて、本体に浴槽内面部に吸着自在な吸盤を設けてあるので、本体を吸盤を用いて簡単に吸着して取付けることができるものであり、吸盤で取付けた状態で下部ケーシングを本体主体に対して回動することで容易に気泡浴水の吐出方向を変更できて、使い勝手が良くなるものである。
【図面の簡単な説明】
【図１】本発明のホースを接続した状態を示す気泡浴水発生装置の断面図である。
【図２】同上の側面図である。
【図３】同上の分解斜視図である。
【図４】同上のホースを外した状態の本体の断面図である。
【図５】同上の正面図である。
【図６】（ａ）はハンドルを上方に回動した状態の側面図であり、（ｂ）は水平に倒した状態の断面図である。
【図７】同上の背面図である。
【図８】同上の平面図である。
【図９】同上の底面図である。
【図１０】同上のエア供給操作部の断面図である。
【図１１】同上の本体の上部を示し、（ａ）は平面図であり、（ｂ）は断面図であり、（ｃ）は水素の逃がし口の断面図である。
【図１２】（ａ）（ｂ）は同上の下部ケーシングを回動して本体側吐出口部の向きを変える例を示す断面図である。
【図１３】同上の先端部に吐出口部を接続すると共に後端部に本体側接続部を接続したホースの断面図である。
【図１４】同上のホースの軸方向と直交する方向の断面図である。
【図１５】同上のホースを接続した場合におけるホースの本体側接続部と本体の本体側吐出口部との接続部分における浴水及びエアの流れを示す断面図である。
【図１６】同上の吐出口部における浴水及びエアの流れを示す断面図である。
【図１７】同上のホースを接続しない場合における本体側吐出口部における浴水及びエアの流れを示す説明図である。
【図１８】（ａ）はホースの両端部の吐出口部と本体側接続部とを接続しない状態の斜視図であり、（ｂ）は吐出口部と本体側接続部とを接続している状態の斜視図である。
【図１９】同上の充電スタンドに保持して充電している状態の断面図である。
【図２０】同上の充電スタンドの断面図である。
【図２１】同上の本体充電端子部と充電器側端子とを電気的に接続した状態の断面図である。
【図２２】同上に用いる吸盤を取付けた取付板を示し、（ａ）は正面図であり、（ｂ）は断面図であり、（ｃ）は背面図である。
【符号の説明】
１  ポンプ
２  電動機
３  電源部
４  制御部
５  本体
６  吸い込み口
７  吐出口部
８  気泡水発生装置
１０  吸盤
１４  密閉ケース
２７  ホース
２８  本体主体部
３０  下部ケーシング
４４  本体吐出口部
【図１】
0004061800.tif 000002
【図２】
0004061800.tif 000003
【図３】
0004061800.tif 000004
【図４】
0004061800.tif 000005
【図５】
0004061800.tif 000006
【図６】
0004061800.tif 000007
【図７】
0004061800.tif 000008
【図８】
0004061800.tif 000009
【図９】
0004061800.tif 000010
【図１０】
0004061800.tif 000011
【図１１】
0004061800.tif 000012
【図１２】
0004061800.tif 000013
【図１３】
0004061800.tif 000014
【図１４】
0004061800.tif 000015
【図１５】
0004061800.tif 000016
【図１６】
0004061800.tif 000017
【図１７】
0004061800.tif 000018
【図１８】
0004061800.tif 000019
【図１９】
0004061800.tif 000020
【図２０】
0004061800.tif 000021
【図２１】
0004061800.tif 000022
【図２２】
0004061800.tif 000023